(57)【要約】【課題】搬送不可な記録媒体の記録を高精度かつ簡易に行うことができる記録装置を提供すること。【解決手段】装置本体内の待機位置から装置本体外の媒体出入位置までの間を往復搬送可能に配設されており、搬送不可な第２の記録媒体Ｄが載置され、送りローラ１４６により搬送されることにより記録ヘッド１５３による第２の記録媒体への記録を補助する補助トレイ１３０と、待機位置と送りローラとの間で補助トレイを移動させると共に、補助トレイの搬送に必要な措置を当該移動に連動させる補助トレイ駆動手段１９０とが装置本体に内蔵されている。これにより、搬送不可な第２の記録媒体に記録するための補助トレイは常に正確に位置決めされることになるので、第２の記録媒体の記録精度を高めることができると共に、補助トレイを記録装置とは別に保管する必要が無くなるので、補助トレイを紛失してしまうおそれも無くなる。【選択図】　　　図８
2004082540.tif 000002
【特許請求の範囲】
【請求項１】
第１の記録媒体を送りローラにより搬送しつつ記録ヘッドにより記録し、排出ローラにより排出する記録装置において、
装置本体内の待機位置から前記送りローラ及び前記排出ローラを通って装置本体外の媒体出入位置までの間を往復搬送可能に配設されており、搬送不可な第２の記録媒体が載置され、前記送りローラにより搬送されることにより前記記録ヘッドによる前記第２の記録媒体への記録を補助する補助トレイと、
前記待機位置と前記送りローラとの間で前記補助トレイを移動させると共に、前記補助トレイの搬送に必要な措置を当該移動に連動させる補助トレイ駆動手段とが装置本体に内蔵されていることを特徴とする記録装置。
【請求項２】
前記補助トレイ駆動手段は、前記補助トレイの移動に連動して、前記記録ヘッドを移動させると共に、前記第２の記録媒体の記録面側に配設されている前記排出ローラを移動させることを特徴とする請求項１に記載の記録装置。
【請求項３】
前記補助トレイが前記媒体出入位置に位置しているときに前記待機位置の方向へ押されたことを検知する検知手段を備え、この検知手段から検知信号を受けたとき、前記補助トレイを前記待機位置へ自動的に戻すことを特徴とする請求項１または２に記載の記録装置。
【発明の詳細な説明】
【０００１】
【発明の属する技術分野】
本発明は、記録媒体を送りローラにより搬送しつつ記録ヘッドにより記録し、排出ローラにより排出する記録装置に関し、特に搬送不可な記録媒体が載置され、送りローラにより搬送されることにより記録ヘッドによる記録媒体への記録を補助する補助トレイを備えた記録装置に関する。
【０００２】
【従来の技術】
一般に、記録装置の１つであるインクジェット式プリンタは、主走査方向に往復移動するキャリッジに搭載された記録ヘッドと、副走査方向に記録用紙を間欠的に設定量ずつ搬送する用紙搬送手段を備え、記録用紙を副走査方向に搬送しつつ記録ヘッドを主走査方向に移動させ、記録ヘッドから記録用紙にインク滴を吐出して情報を記録するように構成されている。
【０００３】
新規の記録用紙はプリンタ本体の背面側もしくは前面側に配設されている抜き差し自在なトレイ内に積載されて一端がホッパにより持ち上げられ、最上位の記録用紙が給紙ローラにより引き出され紙送りローラへ給紙されて上記記録が行われ、記録済みの記録用紙はプリンタ本体の前面側に配設されている開閉自在なスタッカ上に排紙されるようになっている。
【０００４】
近年、個人的に記録可能なＣＤ−ＲＷ／ＲやＤＶＤ−ＲＷ／Ｒ等の光ディスクが普及してきたことから、その表面に印刷が可能なインクジェット式プリンタが開発されている。光ディスクの表面に印刷する場合、光ディスクは通常の記録用紙のように供給・搬送することができないので、補助トレイに光ディスクを収納し、この補助トレイをプリンタ本体の背面側もしくは前面側から差し込んで搬送することにより光ディスクの表面に印刷するようにしている。
【０００５】
【発明が解決しようとする課題】
上述したインクジェット式プリンタでは、光ディスクの表面に印刷する場合、ユーザが別体の補助トレイをプリンタ本体内に差し込んで位置合わせしなければならないので、位置決めが正確にできず、記録精度が低下することがある。また、補助トレイを別に保管しなければならないので、手間が掛かっている。
【０００６】
本発明は、上記のような課題に鑑みなされたものであり、その目的は、搬送不可な記録媒体の記録を高精度かつ簡易に行うことができる記録装置を提供することにある。
【０００７】
【課題を解決するための手段】
上記目的達成のため、本発明の請求項１に係る記録装置では、第１の記録媒体を送りローラにより搬送しつつ記録ヘッドにより記録し、排出ローラにより排出する記録装置において、装置本体内の待機位置から前記送りローラ及び前記排出ローラを通って装置本体外の媒体出入位置までの間を往復搬送可能に配設されており、搬送不可な第２の記録媒体が載置され、前記送りローラにより搬送されることにより前記記録ヘッドによる前記第２の記録媒体への記録を補助する補助トレイと、前記待機位置と前記送りローラとの間で前記補助トレイを移動させると共に、前記補助トレイの搬送に必要な措置を当該移動に連動させる補助トレイ駆動手段とが装置本体に内蔵されていることを特徴としている。これにより、搬送不可な第２の記録媒体に記録するための補助トレイは常に正確に位置決めされることになるので、第２の記録媒体の記録精度を高めることができると共に、補助トレイを記録装置とは別に保管する必要が無くなるので、補助トレイを紛失してしまうおそれも無くなる。
【０００８】
請求項２に係る発明では、請求項１に記載の記録装置において、前記補助トレイ駆動手段は、前記補助トレイの移動に連動して、前記記録ヘッドを移動させると共に、前記第２の記録媒体の記録面側に配設されている前記排出ローラを移動させることを特徴としている。これにより、第２の記録媒体の記録面と記録ヘッドのノズル面との距離を、第１の記録媒体の記録面と記録ヘッドのノズル面との適正な距離と同一にすることができ、また、第２の記録媒体の記録面が排出ローラと接触してしまうことを回避することができるので、第２の記録媒体の記録を高精度に行うことができる。
【０００９】
請求項３に係る発明では、請求項１または２に記載の記録装置において、前記補助トレイが前記媒体出入位置に位置しているときに前記待機位置の方向へ押されたことを検知する検知手段を備え、この検知手段から検知信号を受けたとき、前記補助トレイを前記待機位置へ自動的に戻すことを特徴としている。これにより、補助トレイが媒体出入位置から待機位置の方向へ無理に押し込まれることを防止することができるので、送りローラや排出ローラ及び記録ヘッドが補助トレイと衝突して傷付いたり変形したりしてしまうことが無くなる。
【００１０】
【発明の実施の形態】
以下、図面に基づいて本発明の実施の形態について詳細に説明する。
【００１１】
図１は、本発明の実施の形態に係る記録装置の１つであるインクジェット式プリンタの構成例を斜め前方から見た斜視図である。このインクジェット式プリンタ１００は、上方から見たときに凸形状をした扁平な略直方体の形状をしており、一側面（以下、前面という）側から全ての操作を行うことが可能なように構成されている。したがって、装置上面には可動部や操作部等が無く、装置上面は平坦に形成されているので、装置上面に周辺機器等を載置することが可能となっている。
【００１２】
このインクジェット式プリンタ１００の後述する図４等に示す用紙搬送部１４０や記録部１５０等は、前面側が開放された筐体１０１及びこの筐体１０１の前面側にはめ込まれた前枠１０２により覆われている。筐体１０１は、例えば金属板の板金加工により、あるいはプラスチックの射出成形により形成され、前枠１０２は、例えばプラスチックの射出成形により形成されている。前枠１０２の略中央部には、図示矢印ａで示す主走査方向（記録ヘッド１５３の走査方向）を回動軸として図示矢印ｂで示す方向に開閉自在なスタッカ１１０が配設され、このスタッカ１１０の下部には、図示矢印ｃで示す副走査方向（記録用紙の搬送方向）に抜き差し自在なトレイ１２０が配設されている。
【００１３】
スタッカ１１０は、図１に示すように、前枠１０２に対して閉じているときは格納状態であり、図２に示すように、前枠１０２に対して開いているときは記録完了後に排紙される記録用紙を受けて載置が可能なように構成されている。トレイ１２０は、図１に示すように、前枠１０２に対して後方の筐体１０１内に収納された状態にて記録用紙の供給が可能であり、図３に示すように、前枠１０２に対して前方へ引き出された状態にて記録用紙の補充や交換が可能なように構成されている。この記録用紙としては、普通紙、専用紙、推奨ＯＨＰシート、光沢紙、光沢フィルム、ラベルシート、官製葉書等が利用できる。
【００１４】
図２は、上記スタッカ１１０を開にして記録用紙が受けられるようにした状態を示す斜視図である。このスタッカ１１０は、３段構成となっており、下部両端が前枠１０２に回動可能なように取り付けられた基台１１１と、この基台１１１に対し出し入れ自在に収納された第１の受け台１１２と、この第１の受け台１１２に対し出し入れ自在に収納された第２の受け台１１３を備えている。
【００１５】
基台１１１は、前方に引き出された状態の第１の受け台１１２の後端部を保持し、第１の受け台１１２は、前方に引き出された状態の第２の受け台１１３の後端部を保持している。第１及び第２の受け台１１２、１１３が引き出された状態のスタッカ１１０は、例えばＡ４サイズの大きさの記録用紙より若干大きく作製されている。
【００１６】
図３は、上記トレイ１２０を引き出して記録用紙が収納可能なようにした状態を示す斜視図である。このトレイ１２０は、記録前の記録用紙を積層収納する本体１２１と、積層収納した記録用紙を１枚ずつ供給するために記録用紙の前部を斜め上方に持ち上げるホッパ１２２を有している。本体１２１は、例えばＡ４サイズの大きさの記録用紙より若干大きく作製されており、記録用紙を内部に配設されている記録用紙の幅方向の位置決め用部材１２１ａ及び図示しない長さ方向の位置決め用部材により所定位置に位置決めして積層収納するようになっている。
【００１７】
ホッパ１２２は、本体１２１内の前部に配設された用紙支持部１２２ａ及びこの用紙支持部１２２ａと一体形成された脚部１２２ｂを有しており、脚部１２２ｂと本体１２１の内底面に係止されている付勢部材１２２ｃにより、脚部１２２ｂの端部を中心に旋回する用紙支持部１２２ａにより記録用紙の前部を斜め上方に持ち上げるようになっている。
【００１８】
図４は、前枠１０２、スタッカ１１０及びトレイ１２０を取り外した状態を示す斜視図、図５は、筐体１０１、前枠１０２及びスタッカ１１０を取り外した状態を示す斜視図、図６は、その平面図、図７は、その側面図である。トレイ１２０の上部には用紙搬送部１４０が配設され、この用紙搬送部１４０の上方には記録部１５０が配設されている。
【００１９】
用紙搬送部１４０は、記録用紙を筐体１０１内に収納されているトレイ１２０から前面側に引き出されているスタッカ１１０まで搬送する機能を有しており、後面側から前面側にかけて以下の部材が順に配設されている。すなわち、トレイ１２０の上部に配設されている第１紙案内１４１（図５〜７参照）、上下に対向配置されている給紙ローラ１４２（図５〜７参照）とパッド１４３ａ（図７参照）を有するパッドホルダ１４３（図７参照）が配設されている。
【００２０】
さらに、パッドホルダ１４３を支持する第２紙案内１４４（図７参照）、上下に対向配置されている従動ローラ１４５（図５〜７参照）と紙送りローラ１４６（図５〜７参照）、記録部１５０の下部に配設されている第３紙案内１４７（図５〜７参照）、上下に対向配置されている排紙ギザローラ１４８（図５〜７参照）と排紙ローラ１４９（図５、７参照）が配設されている。
【００２１】
記録部１５０は、主走査方向に移動可能なキャリッジ１５１（図５〜７参照）、キャリッジ１５１に対して前後方向に脱着可能に取り付けられたインクカートリッジ１５２（図５〜７参照）、キャリッジ１５１に搭載された記録ヘッド１５３（図７参照）、キャリッジ１５１の移動を案内するガイド棒１５４（図５〜７参照）を備えている。
【００２２】
さらに、記録ヘッド１５３と制御部１６０の専用コントローラボード等を電気的に接続するフレキシブル配線板１５５（図５、６参照）、インクカートリッジ１５２をキャリッジ１５１に着脱する際に補助するアシスト手段１５６（図５〜７参照）等を備えている。インクカートリッジ１５２は、例えばイエロー、マゼンタ、シアン、ブラックの計４色のタンクを備えており、フルカラー記録が可能なように構成されている。
【００２３】
そして、図５、６に示すように、用紙搬送部１４０を駆動する搬送駆動部１７０として駆動モータ１７１及びギア機構１７２が、用紙搬送部１４０の一側面側に配設され、記録部１５０の記録駆動部１８０として駆動モータ１８１及びベルト機構１８２が、記録部１５０の後方側に配設されている。
【００２４】
以上のような構成のインクジェット式プリンタ１００において、その動作の概略を説明する。なお、インクジェット式プリンタ１００とテレビジョン・システムやコンピュータ等との接続配線や電源プラグの接続は既に完了しているものとする。先ず、ユーザは、図１に示す状態で指をトレイ１２０の底面に設けられている凹部に掛けて引っ張ることにより、図２に示すようにトレイ１２０を前方へ引き出す。
【００２５】
続いて、トレイ１２０の本体１１１内の所定位置に複数枚の記録用紙を積層した状態で収納した後、トレイ１２０を後方へ押し込んでセットする。このとき、記録用紙の前部はホッパ１１２により斜め上方に持ち上げられ、最上部の記録用紙の前部先端が給紙ローラ１４２に接触する。次に、ユーザは、指をスタッカ１１０の上部に掛けて引っ張ることにより、図３に示すようにスタッカ１１０を前方へ引き出す。そして、インクジェット式プリンタ１００をスタンバイ状態にし、テレビジョン・システムやコンピュータ等から記録指令を入力する。
【００２６】
すると、図７に示すように、トレイ１２０内の最上部の１枚の記録用紙Ｐは、第１紙案内１４１と第２紙案内１４４に案内されつつ、給紙ローラ１４２の回転により副走査方向である前方へ引き出されて給紙ローラ１４２とパッド１４３ａとの間に挟持されて更に前方へ送り出される。そして、その記録用紙Ｐは、従動ローラ１４５と紙送りローラ１４６との間に挟持されて更に前方へ送り出される。
【００２７】
記録用紙Ｐが第３紙案内１４７に達すると、キャリッジ１５１の主走査方向への移動が開始される。そして、副走査方向に搬送されつつある記録用紙Ｐに対し、記録ヘッド１５３は主走査方向に移動しながらインク滴を吐出して、記録用紙Ｐ上に所定の記録情報を記録する。このときの記録ヘッド１５３の走査タイミングやインク吐出タイミングは、制御部１６０の専用コントローラボード等により制御され、高精度なインクドット制御、ハーフトーン処理等が実行されるようになっている。そして、その記録用紙Ｐは、排紙ギザローラ１４８と排紙ローラ１４９との間に挟持されて更に前方へ送り出され、最終的に記録が完了した記録用紙Ｐはスタッカ１１０上に排紙される。
【００２８】
以上のように、このインクジェット式プリンタ１００によれば、記録前の記録用紙Ｐのセッティングから記録後の記録用紙Ｐの取り出し、さらにはインクカートリッジ１５２の交換等にいたるまで前面側で全て処理することができるので、操作が迅速かつ容易となり、記録効率を向上させることができると共に、プリンタ上部への周辺機器の設置が可能となり、作業空間を有効利用することができる。
【００２９】
図８は、本発明の実施の形態に係る補助トレイ及び補助トレイ駆動手段の概略構成を示す斜視図である。補助トレイ１３０及び補助トレイ駆動手段１９０は、筺体１０１に内蔵されている。この補助トレイ１３０は、図示Ａで示す筺体１０１内の待機位置から紙送りローラ１４６及び排紙ローラ１４９を通って図示Ｂで示す筺体１０１外のディスク出入位置までの間を往復搬送可能に配設されている。補助トレイ１３０は、プラスチックで矩形板状に形成されており、表面の図示手前側には１枚の光ディスクＤを載置・収納可能な円形状のディスク用凹部１３１が形成され、図示後方左側面側には補助トレイ駆動手段１９０による駆動制御のためのカム溝１３２が形成されている。
【００３０】
補助トレイ駆動手段１９０は、補助トレイ駆動モータ１９１、ギア機構１９２、第１アーム１９３及び第２アーム１９４を備えている。補助トレイ駆動モータ１９１は、ギア機構１９２を介して補助トレイ１３０と連結されており、補助トレイ１３０を待機位置Ａと紙送りローラ１４６との間で移動させるようになっている。
【００３１】
第１アーム１９３は、一端が補助トレイ１３０のカム溝１３２に係止されており、第２アーム１９４は、一端が第１アーム１９３の他端に係止され、中途部が記録ヘッド１５３と連結され、他端が排紙ギザローラ１４８と連結されている。そして、補助トレイ１３０の移動に同期して、第１アーム１９３から第２アーム１９４を介して記録ヘッド１５３及び排紙ギザローラ１４８を移動させるようになっている。
【００３２】
すなわち、記録用紙の厚さに比べて補助トレイ１３０の厚さが厚いので、光ディスクＤの印刷面と記録ヘッド１５３のノズル面との距離が、記録用紙の印刷面と記録ヘッド１５３のノズル面との適正な距離と同一になるように、記録ヘッド１５３を上昇させるようになっている。また、光ディスクＤの印刷面が排紙ギザローラ１４８と接触して傷付いてしまわないように、排紙ギザローラ１４８を上方へ退避させるようになっている。なお、従動ローラ１４５は、プラスチックかゴム等により作成されており、光ディスクＤの印刷面と接触しても傷付くことはないので退避させる必要はないが、下方に付勢されているため、補助トレイ１３０は、例えば４００ｇｆ以上の力で挿入して押し上げる必要がある。
【００３３】
なお、図示していないが、補助トレイ１３０がディスク出入位置Ｂに位置しているときに、例えばユーザにより待機位置Ａの方向へ押されたことを検知する検知手段を備えている。この検知手段から検知信号を受けたとき、補助トレイ１３０を待機位置Ａへ自動的に戻すようにすることにより、補助トレイ１３０がディスク出入位置Ｂから待機位置Ａの方向へ無理に押し込まれることを防止することができるので、紙送りローラ１４６や排紙ローラ１４９及び記録ヘッド１５３が補助トレイ１３０と衝突して傷付いたり変形したりしてしまうことが無くなる。この検知手段は、例えば放射状に複数のスリットが形成され、補助トレイ１３０の移動に連動して回転する回転円盤と、この回転円盤の両面側に配設され、回転円盤の回転により変化する光量を検出するフォトインタラプタを備えている。
【００３４】
このような構成の補助トレイ１３０及び補助トレイ駆動手段１９０を使用して光ディスクの表面に印刷するときの動作例を図９のフローチャートで説明する。スタンバイ状態では、補助トレイ１３０は、待機位置Ａに位置している（ステップＳ１）。ユーザがトレイイジェクトボタンを押下すると（ステップＳ２）、搬送駆動部１７０の駆動モータ１７１が正転して定速駆動となる（ステップＳ３）。
【００３５】
続いて、補助トレイ駆動モータ１９１が正転して定速駆動となる（ステップＳ４）。これにより、補助トレイ１３０が移動開始し、これに同期して第１アーム１９３から第２アーム１９４を介して記録ヘッド１５３及び排紙ギザローラ１４８が移動する（ステップＳ５）。そして、補助トレイ１３０は、待機位置Ａから紙送りローラ１４６及び排紙ローラ１４９を通ってディスク出入位置Ｂまで移動する（ステップＳ６）。
【００３６】
その後、補助トレイ駆動モータ１９１が停止し（ステップＳ７）、搬送駆動部１７０の駆動モータ１７１が停止する（ステップＳ８）。ユーザが光ディスクを補助トレイ１３０にセットしてトレイセットボタンを押下すると（ステップＳ９）、搬送駆動部１７０の駆動モータ１７１が逆転して定速駆動となり（ステップＳ１０）、補助トレイ駆動モータ１９１が逆転して定速駆動となる（ステップＳ１１）。これにより、補助トレイ１３０は、ディスク出入位置Ｂから排紙ローラ１４９及び紙送りローラ１４６を通って待機位置Ａまで移動する（ステップＳ１２）。このとき記録ヘッド１５３及び排紙ギザローラ１４８は元の位置へ移動する。
【００３７】
続いて、光ディスクの中心位置が検出され（ステップＳ１３）、搬送駆動部１７０の駆動モータ１７１が正転して定速駆動となり（ステップＳ１４）、補助トレイ駆動モータ１９１が正転して定速駆動となる（ステップＳ１５）。これにより、補助トレイ１３０が移動開始し、これに同期して、第１アーム１９３から第２アーム１９４を介して記録ヘッド１５３及び排紙ギザローラ１４８が移動する（ステップＳ１６）。そして、補助トレイ１３０は、待機位置Ａから紙送りローラ１４６を通って印刷開始位置まで移動し、光ディスクの印刷が開始される（ステップＳ１７）。
【００３８】
光ディスクの印刷が終了して補助トレイ１３０がディスク出入位置Ｂまで移動したら（ステップＳ１８）、ユーザは光ディスクを補助トレイ１３０から取り出してトレイセットボタンを押下する（ステップＳ１９）。すると、搬送駆動部１７０の駆動モータ１７１が逆転して定速駆動となり（ステップＳ２０）、補助トレイ駆動モータ１９１が逆転して定速駆動となる（ステップＳ２１）。
【００３９】
これにより、補助トレイ１３０は、ディスク出入位置Ｂから排紙ローラ１４９及び紙送りローラ１４６を通って待機位置Ａまで移動し（ステップＳ２２）、記録ヘッド１５３及び排紙ギザローラ１４８は元の位置へ移動する（ステップＳ２３）。その後、補助トレイ駆動モータ１９１が停止し（ステップＳ２４）、搬送駆動部１７０の駆動モータ１７１が停止し（ステップＳ２５）、スタンバイ状態となる。
【００４０】
以上、本発明を種々の実施形態に関して述べたが、本発明は以上の実施形態に限られるものではなく、特許請求の範囲に記載された発明の範囲内で、他の実施形態についても適用されるのは勿論である。
【００４１】
【発明の効果】
以上説明したように、本発明によれば、搬送不可な第２の記録媒体に記録するための補助トレイは常に正確に位置決めされることになるので、第２の記録媒体の記録精度を高めることができると共に、補助トレイを記録装置とは別に保管する必要が無くなるので、補助トレイを紛失してしまうおそれも無くなる。
【図面の簡単な説明】
【図１】本発明の実施の形態に係る記録装置の１つであるインクジェット式プリンタの構成例を斜め前方から見た斜視図である。
【図２】図１のインクジェット式プリンタのスタッカを開にして記録用紙が受けられるようにした状態を示す斜視図である。
【図３】図１のインクジェット式プリンタのトレイを引き出して記録用紙が収納可能なようにした状態を示す斜視図である。
【図４】図１のインクジェット式プリンタの前枠、スタッカ及びトレイを取り外した状態を示す斜視図である。
【図５】図１のインクジェット式プリンタの筐体、前枠及びスタッカを取り外した状態を示す斜視図である。
【図６】図５のインクジェット式プリンタの平面図である。
【図７】図５のインクジェット式プリンタの側面図である。
【図８】本発明の実施の形態に係る補助トレイ及び補助トレイ駆動手段の概略構成を示す斜視図である。
【図９】図８の補助トレイ及び補助トレイ駆動手段を使用して光ディスクの表面に印刷するときの動作例を示すフローチャートである。
【符号の説明】
１００　　　インクジェット式プリンタ
１０１　　　筐体
１０２　　　前枠
１１０　　　スタッカ
１１１　　　基台
１１２　　　第１の受け台
１１３　　　第２の受け台
１２０　　　トレイ
１２１　　　本体
１２２　　　ホッパ
１３０　　　補助トレイ
１３１　　　ディスク用凹部
１３２　　　カム溝
１４０　　　用紙搬送部
１４１　　　第１紙案内
１４２　　　給紙ローラ
１４３　　　パッドホルダ
１４４　　　第２紙案内
１４５　　　従動ローラ
１４６　　　紙送りローラ
１４７　　　第３紙案内
１４８　　　排紙ギザローラ
１４９　　　排紙ローラ
１５０　　　記録部
１５１　　　キャリッジ
１５２　　　インクカートリッジ
１５３　　　記録ヘッド
１５４　　　ガイド棒
１５５　　　フレキシブル配線板
１６０　　　制御部
１７０　　　搬送駆動部
１７１　　　駆動モータ
１７２　　　ギア機構
１８０　　　記録駆動部
１８１　　　駆動モータ
１８２　　　ベルト機構
１９０　　　補助トレイ駆動手段
１９１　　　補助トレイ駆動モータ
１９２　　　ギア機構
１９３　　　第１アーム
１９４　　　第２アーム
【図１】
2004082540.tif 000003
【図２】
2004082540.tif 000004
【図３】
2004082540.tif 000005
【図４】
2004082540.tif 000006
【図５】
2004082540.tif 000007
【図６】
2004082540.tif 000008
【図７】
2004082540.tif 000009
【図８】
2004082540.tif 000010
【図９】
2004082540.tif 000011
【手続補正書】
【提出日】平成14年10月1日(2002.10.1)
【手続補正１】
【補正対象書類名】明細書
【補正対象項目名】００３６
【補正方法】変更
【補正の内容】
【００３６】
その後、補助トレイ駆動モータ１９１が停止し（ステップＳ７）、搬送駆動部１７０の駆動モータ１７１が停止する（ステップＳ８）。ユーザが光ディスクを補助トレイ１３０にセットしてトレイセットボタンを押下すると（ステップＳ９）、搬送駆動部１７０の駆動モータ１７１が逆転して定速駆動となり（ステップＳ１０）、補助トレイ駆動モータ１９１が逆転して定速駆動となる（ステップＳ１１）。


【手続補正２】
【補正対象書類名】明細書
【補正対象項目名】００３７
【補正方法】変更
【補正の内容】
【００３７】
続いて、光ディスクの中心位置が検出され（ステップＳ１２）、搬送駆動部１７０の駆動モータ１７１が正転して定速駆動となり（ステップＳ１３）、補助トレイ駆動モータ１９１が正転して定速駆動となる（ステップＳ１４）。そして、補助トレイ１３０は、待機位置Ａから紙送りローラ１４６を通って印刷開始位置まで移動し、光ディスクの印刷が開始される（ステップＳ１５）。


【手続補正３】
【補正対象書類名】明細書
【補正対象項目名】００３８
【補正方法】変更
【補正の内容】
【００３８】
光ディスクの印刷が終了して補助トレイ１３０がディスク出入位置Ｂまで移動したら（ステップＳ１６）、ユーザは光ディスクを補助トレイ１３０から取り出してトレイセットボタンを押下する（ステップＳ１７）。すると、搬送駆動部１７０の駆動モータ１７１が逆転して定速駆動となり（ステップＳ１８）、補助トレイ駆動モータ１９１が逆転して定速駆動となる（ステップＳ１９）。


【手続補正４】
【補正対象書類名】明細書
【補正対象項目名】００３９
【補正方法】変更
【補正の内容】
【００３９】
これにより、記録ヘッド１５３及び排紙ギザローラ１４８は元の位置へ移動し（ステップＳ２０）、補助トレイ１３０は、ディスク出入位置Ｂから排紙ローラ１４９及び紙送りローラ１４６を通って待機位置Ａまで移動する（ステップＳ２１）。その後、補助トレイ駆動モータ１９１が停止し（ステップＳ２２）、搬送駆動部１７０の駆動モータ１７１が停止し（ステップＳ２３）、スタンバイ状態となる。


【手続補正５】
【補正対象書類名】図面
【補正対象項目名】図９
【補正方法】変更
【補正の内容】
【図９】
2004082540.tif 000012